(57)【要約】      （修正有）【課題】物品に付着した汚れを拭き取るためのクリーナーを汚損することなく収容体内に収容しながらこの収容体内から簡単に取り出すことができる物品クリーナーを提供する。【解決手段】物品クリーナー１００は、収容本体１０１を備えている。収容本体１０１は、外皮材１０２の中にクッション材を包み込んで縫合することにより立体形状で構成されている。収容本体１０１の内部には、物品に付着した汚れの拭き取りに用いるクリーナー１２０を出し入れ自在に収容するための収容部が収容本体１０１の外表面から内部に掛けて袋状に形成されている。また、収容部の最奥部には、引き体１３０が摺動自在に貫通する貫通孔が形成されている。この収容部の内側には、貫通孔を貫通する引き体１３０が接続されたクリーナー１２０が配置されている。クリーナー１２０は、超極細繊維を円形状に形成して構成されている。【選択図】図４
0003178708.tif 000002
【実用新案登録請求の範囲】
【請求項１】
汚れを拭き取るための布状のクリーナーと、
前記クリーナーに繋がった状態で長尺に延びる引き体と、
前記クリーナーを出し入れするための開口部を有するとともに前記引き体が摺動可能に貫通する袋状に形成されて前記クリーナーの全体を収容することができる収容部を有した収容本体とを備え、
前記収容部における前記開口部は、
少なくとも一部が弾性変形可能な部材で構成されて前記収容部内に収容された前記クリーナーの先端部が露出する程度まで捲ることができるように形成されていることを特徴とする物品クリーナー。
【請求項２】
請求項１に記載した物品クリーナーにおいて、
前記引き体は、
前記クリーナーを前記収容体内から引き出した際に同クリーナーと前記引き体との接続部分が前記開口部を捲ることができる範囲内に位置するように前記収容体に対する摺動を阻止するためのストッパを備えることを特徴とする物品クリーナー。
【請求項３】
請求項１または請求項２に記載した物品クリーナーにおいて、
前記引き体は、前記クリーナーに対して着脱自在であることを特徴とする物品クリーナー。
【請求項４】
請求項１ないし請求項３のうちにいずれか１つに記載した物品クリーナーにおいて、
前記収容体は、
弾力性を有しつつ人手で掴むことができる程度に膨らんだ立体形状に形成されていることを特徴とする物品クリーナー。
【請求項５】
請求項１ないし請求項４のうちにいずれか１つに記載した物品クリーナーにおいて、
前記収容体は、
外表面に汚れを拭き取るための布状の拭取り部を備えることを特徴とする物品クリーナー。
【請求項６】
請求項１ないし請求項５のうちのいずれか１つに記載した物品クリーナーにおいて、
前記収容体は、動物またはキャラクタの外観を模した形状に形成されており、
前記開口部は、前記動物または前記キャラクタの口部分を構成することを特徴とする物品クリーナー。
【考案の詳細な説明】
【技術分野】
【０００１】
本考案は、主として、メガネ、携帯電話機、スマートフォンおよびデジタルカメラなどの物品の表面や液晶表示画面に付着した汚れを拭き取る物品クリーナーに関する。
【背景技術】
【０００２】
従来から、メガネ、携帯電話機、スマートフォンおよびデジタルカメラなどの物品に付着した手垢、皮脂、水垢および埃などの汚れを拭き取るために布製のクリーナーが用いられている。例えば、下記特許文献１には、袋状の収容体を貫通する長尺の引き紐の先端部に布製のクリーナーを設けることにより、収容体に対してクリーナーおよび引き紐を引くことによってクリーナーを収容体内に出し入れすることができる物品クリーナーが開示されている。
【先行技術文献】
【特許文献】
【０００３】
【特許文献１】実開平０３−１１２７２５号公報
【０００４】
しかしながら、上記特許文献１に開示された物品クリーナーにおいては、収容体内に収容されるクリーナーの先端部が収容体の開口部から露出しているため、クリーナーの収容時に開口部から露出した部分が汚損するという問題がある。また、上記特許文献１に開示された別の物品クリーナーにおいては、クリーナーの全体が収容体内に収容されるため、収容体内からクリーナーを取り出す際にクリーナーの取り出し作業が困難で物品の汚れを手早く簡単に拭取ることができないという問題があった。
【０００５】
本考案は上記問題に対処するためなされたもので、その目的は、物品に付着した汚れを拭き取るためのクリーナーを汚損することなく収容体内に収容しながらこの収容体内から簡単に取り出して汚れを素早く拭き取ることができる物品クリーナーを提供することにある。
【考案の概要】
【０００６】
上記目的を達成するため、請求項１に係る本考案の特徴は、汚れを拭き取るための布状のクリーナーと、クリーナーに繋がった状態で長尺に延びる引き体と、クリーナーを出し入れするための開口部を有するとともに引き体が摺動可能に貫通する袋状に形成されてクリーナーの全体を収容することができる収容部を有した収容本体とを備え、収容部における開口部は、少なくとも一部が弾性変形可能な部材で構成されて収容部内に収容されたクリーナーの先端部が露出する程度まで捲ることができるように形成されていることにある。
【０００７】
このように構成した請求項１に係る本考案の特徴によれば、物品クリーナーは、汚れを拭き取る布製のクリーナーの全体を収容する収容部を備えるとともに、この収容部内にクリーナーを出し入れするための開口部が収容部内に収容されたクリーナーの先端部が露出する程度まで捲ることができるように構成されている。これにより、物品クリーナーは、クリーナーの全体が収容部内に収容されて収容時における汚損を防止することができるとともに、クリーナーを収容部内から取り出す際には開口部を捲ることによってクリーナーの先端部を露出させることによりクリーナーを引き出し易くしている。すなわち、本考案に係る物品クリーナーによれば、物品に付着した汚れを拭き取るためのクリーナーを汚損することなく収容部内に収容しながらこの収容部内から簡単に取り出して汚れを素早く拭き取ることができる。
【０００８】
また、請求項２に係る本考案の他の特徴は、前記物品クリーナーにおいて、引き体は、クリーナーを収容体内から引き出した際に同クリーナーと引き体との接続部分が開口部を捲ることができる範囲内に位置するように収容体に対する摺動を阻止するためのストッパを備えることにある。
【０００９】
このように構成した請求項２に係る本考案の他の特徴によれば、物品クリーナーは、クリーナーを収容部内から引き出した際にクリーナーと引き体との接続部分が開口部を捲ることができる範囲内に位置するように引き体にストッパが設けられている。これにより、物品クリーナーは、クリーナーを引き出した際にクリーナーと引き体との接続部分が開口部を捲ることができる範囲内に位置するため、クリーナーと引き体との接続部分が外部に露出してクリーナーと引き体との接続部分が汚れの拭取り対象となる物品に接触して物品を損傷することを防止できるとともに、接続部分が露出することによるクリーナーおよび物品クリーナー全体の美観を損なうことを防止することができる。また、クリーナーと引き体とが着脱自在に構成されている場合には、クリーナーを引き出した際にクリーナーと引き体との接続部分が外部に露出して同接続部分が不意に外れることを防止することができる。
【００１０】
また、請求項３に係る本考案の他の特徴は、前記物品クリーナーにおいて、引き体は、クリーナーに対して着脱自在であることにある。
【００１１】
このように構成した請求項３に係る本考案の他の特徴によれば、物品クリーナーは、引き体がクリーナーに対して着脱自在に構成されているため、クリーナーのクリーニング効果が低下した場合には新規のクリーナーに交換することができるとともに汚れたクリーナーを洗濯することができる。なお、引き体とクリーナーとは、ボタン、ホック、フック、磁石および面ファスナおよび紐体による結びなど方法を用いて接続することができる。
【００１２】
また、請求項４に係る本考案の他の特徴は、前記物品クリーナーにおいて、収容体は、弾力性を有しつつ人手で掴むことができる程度に膨らんだ立体形状に形成されていることにある。
【００１３】
このように構成した請求項４に係る本考案の他の特徴によれば、物品クリーナーは、収容体が弾力性を有しつつ人手で掴むことができる程度に膨らんだ立体形状に形成されているため、クリーナーを収容体内に収容した場合においても物品クリーナー全体の美観を崩さず維持することができるとともに、収容体を把持してクリーナーを容易に引き出すことができる。
【００１４】
また、請求項５に係る本考案の他の特徴は、前記物品クリーナーにおいて、収容体は、外表面に汚れを拭き取るための布状の拭取り部を備えることにある。
【００１５】
このように構成した請求項５に係る本考案の他の特徴によれば、物品クリーナーは、収容体が外表面に汚れを拭き取るための布状の拭取り部を備えて構成されている。これにより、物品クリーナーは、携帯電話機やスマートフォンなどの携帯端末装置における表示画面などに付着した汚れをクリーナーよりも簡単かつ手軽に拭き取ることができる。
【００１６】
また、請求項６に係る本考案の他の特徴は、前記物品クリーナーにおいて、収容体は、動物またはキャラクタの外観を模した形状に形成されており、開口部は、動物またはキャラクタの口部分を構成することにある。
【００１７】
このように構成した請求項６に係る本考案の他の特徴によれば、物品クリーナーは、収容体が動物またはキャラクタの外観を模した形状に形成されているとともに、開口部が動物またはキャラクタの口部分を構成している。これにより、物品クリーナーにおいて、収容体と開口部とを違和感なく自然な配置で構成することができるとともに、物品クリーナーのデザイン性を向上させることができる。
【００１８】
なお、物品クリーナーが模す動物としては、例えば、愛玩動物（イヌ、ネコ、小鳥、ねずみなど）、干支、各種野生動物（ライオン、カバ、キリン、コアラ、ラッコ、イルカ、クジラ、カメ、ヘビ、ワニ、カメレオンなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、物品クリーナーが模すキャラクタとしては、アニメ、映画、ＴＶドラマ、童話、昔話などの主人公や登場物、および擬人化した動植物（例えば、擬人化したネズミなど）などが考えられる。また、物品クリーナーが模す対象としては、動物やキャラクタ以外にも植物、建造物、構造物、美術品または食品などが考えられる。これらの場合、植物としては、花（ヒマワリ、チューリップなど）や木（ヤシ、竹、スギなど）などが考えられる。また、建造物としては、橋、鉄塔、ビルおよび寺社仏閣などが考えられる。また、構造物としては、車両（二輪車、四輪乗用車、消防車などの各種作業車など）、列車、船舶および飛行機などが考えられる。また、美術品としては、仏像およびモニュメントなどが考えられる。また、食品としては、ハンバーガー、フランクフルトソーセージおよびサンドイッチなどが考えられる。そして、これらは、物品クリーナーは、これらの動物、植物、キャラクタ、建造物、構造物および美術品を単体でまたはこれらを組み合わせたデザインで構成することができる。これらより、物品クリーナーの使用者は、物品クリーナーのデザイン性に対して高い満足感を得ることができる。
【図面の簡単な説明】
【００１９】
【図１】本考案の一実施形態に係る物品クリーナーの外観構成を概略的に示す斜視図である。
【図２】図１に示す物品クリーナーの内部構造を模式的に示す横断面図である。
【図３】図１に示す物品クリーナーに出し入れ自在に収容されるクリーナーと引き体との接続状態を説明するためのクリーナーおよび引き体の一部を示す斜視図である。
【図４】図１に示す物品クリーナーにおいてクリーナーを引き出した状態における外観構成を概略的に示す斜視図である。
【図５】本考案の変形例に係る物品クリーナーの外観構成を概略的に示す斜視図である。
【考案を実施するための形態】
【００２０】
以下、本考案に係る物品クリーナーの一実施形態について図面を参照しながら説明する。図１は、本考案に係る物品クリーナー１００の外観構成を概略的に示す斜視図である。また、図２は、図１に示す物品クリーナー１００の内部構造を模式的に示す横断面図である。なお、本明細書において参照する各図は、本考案の理解を容易にするために一部の構成要素を誇張して表わすなど模式的に表している。このため、各構成要素間の寸法や比率などは異なっていることがある。本実施形態に係る物品クリーナー１００は、主としてメガネ、時計、携帯電話機やスマートフォンなどの携帯端末装置、携帯型ゲーム機、パソコンおよびデジタルカメラなどの物品の表面や液晶表示画面に付着した汚れを拭き取るための清掃具である。
【００２１】
（物品クリーナー１００の構成）
物品クリーナー１００は、収容本体１０１を備えている。収容本体１０１は、外皮材１０２の中にクッション材１０３を包み込んで縫合することによりカメレオンの外観を模した立体形状で構成されている。換言すれば、収容本体１０１は、外観上は所謂カメレオンのぬいぐるみのように構成されている。外皮材１０２は、収容本体１０１の外側表面を構成するシート状の部材である。本実施形態においては、外皮材１０２は、毛皮状素材、例えば、ファー、ボア、パイル、モヘア、シールおよびフェルトなどで構成されている。
【００２２】
外皮材１０２で包み込まれるクッション材１０３は、図２に示すように、弾力性のあるポリエステル製の綿素材で構成されている。このクッション材１０３は、カメレオン型に成形された収納本体１０１内において、カメレオンの口部分から臀部分に掛けて図示上下方向に別れて充填されている。なお、クッション材１０３は、弾力性のある素材で構成されていればよく、ポリエステル製の綿素材以外の素材、例えば、スポンジ、ウレタン、低反発素材、樹脂製ビーズなどで構成することもできる。
【００２３】
この収容本体１０１の内側には、収容本体１０１の外表面に開口した状態で収納部１１０が形成されている。収容部１１０は、図２に示すように、後述するクリーナー１２０を出し入れ自在に収容する部分であり、カメレオン型に成形された収容本体１０１におけるカメレオンの口部分から収容本体１０１の内部に掛けてクリーナー１２０を収納可能な形状および大きさの袋状に形成されている。この場合、収容部１１０においてクリーナー１２０が出し入れされる開口部１１１は、カメレオンの口における上あごおよび下あごをそれぞれ模した形状に形成されており、収容部１１０内に収容されたクリーナー１２０の先端部を図示上下方向から覆うとともに同先端部が露出する程度まで捲ることができるように形成されている（図１において二点鎖線参照）。
【００２４】
また、収容部１１０の最奥部には、カメレオンの臀部部分に開口する貫通孔１１２が形成されている。貫通孔１１２は、後述する引き体１３０が摺動自在に貫通する孔であり同引き体が摺動するために最低限必要な内径に形成されている。そして、この収納部１１０および開口部１１１は、外皮材１０２より柔軟で柔らかい素材で構成されている。本実施形態においては、収納部１１０は、ポリエステル製の超極細繊維で形成された布素材で構成されている。
【００２５】
収容部１１０の内部には、互いに繋がった状態のクリーナー１２０および引き体１３０がそれぞれ配置されている。クリーナー１２０は、図３に示すように、物品に付着した手垢、皮脂、水分および埃などの汚れを拭き取るため布状の部材であり、拭き取り対象となる物品の表面を損傷しない柔軟で柔らかい素材を円形状に形成して構成されている。本実施形態においては、クリーナー１２０は、樹脂製（例えば、ポリエステル材とナイロン材との混成材）の超極細繊維で形成された布素材で構成されている。このクリーナー１２０には、裏面における中心部より若干外周部よりの部分にクリーナー接続部１２１が形成されている。クリーナー接続部１２１は、クリーナー１２０に対して引き体１３０を着脱自在に接続する部分であり、樹脂製のボタンをクリーナー１２０の裏面に縫合して構成されている。
【００２６】
引き体１３０は、収容部１１０内から引き出されたクリーナー１２０を収容部１１０内に引き込むための部材であり、布材を長尺状に延びる紐状に形成して構成されている。この引き体１３０における一方（図２において左側）の端部には、引き体接続部１３１が形成されている。引き体接続部１３１は、引き体１３０をクリーナー１２０に着脱自在に接続するための部分であり、線状の部材を環状に形成して構成されている。すなわち、クリーナー接続部１２１と引き体接続部１３１とは、引き体接続部１３１がクリーナー接続部１２１の縫合部分に引っ掛けられることにより互いに接続される。
【００２７】
また、引き体１３０における他方（図２において右側）の端部には、連結具１３２設けられている。連結具１３２は、この物品クリーナー１００を他の物品、例えば、拭き取り対象となる携帯電話機やこの携帯電話機を収容する鞄類に着脱自在に連結するための部品である。本実施形態においては、連結具１３２は、線状のばね鋼を二重のらせん状に巻いた所謂キーホルダリングによって構成されている。この連結具１３２は、クリーナー１２０を収容部１１０内から引き出した際にクリーナー１２０におけるクリーナー接続部１２１を開口部１１１を捲ることができる範囲内、換言すれば、カメレオンの口内に位置させることができる引き体１３０の長さ位置に設けられている。
【００２８】
これらのクリーナー１２０および引き体１３０は、引き体１３０の引き体接続部１３１を収容本体１０１の外側からの貫通孔１１２に通した後、同引き体接続部１３１をクリーナー１２０のクリーナー接続部１２１に接続することによって収容部１１０の内側にそれぞれ配置される。そして、クリーナー１２０は、引き体１３０が引っ張られることによってクリーナー接続部１２１を境として折り曲げられながら収容部１１０内に引き込まれて収容される（図１参照）。
【００２９】
（物品クリーナー１００の作動）
次に、このように構成された物品クリーナー１００の作動について説明する。まず、物品クリーナー１００の使用者は、物品（図示せず）の拭き取り作業に際して物品クリーナー１００を用意する。この場合、物品クリーナー１００は、前記したように、クリーナー１２０が収容部１１０内に収納された状態であり、外観上は単なるカメレオンのぬいぐるみのように見える（図１参照）。また、このように収容部１１０内にクリーナー１２０が収容された状態においては、クリーナー１２０は収容部１１０内に完全に収容されているため収容時における汚損が防止される。
【００３０】
次に、使用者は、収容部１１０内からクリーナー１２０を引き出す。具体的には、使用者は、一方の手で収容本体１０１を把持しながら他方の手で収容本体１０１における開口部１１１を捲る（図１において二点鎖線参照）ことにより露出したクリーナー１２０の先端部を摘まんで引き出す。この場合、使用者は、収容本体１０１が立体的に膨らんで形成されているため、クリーナー１２０を引き出す際に収容本体１０１を安定した状態で把持することができる。なお、本実施形態においては、クリーナー１２０を引き出すために収容本体１０１が模すカメレオンの下あごを構成する開口部１１１を図示下側に捲ったが、カメレオンの上あごを構成する開口部１１１を図示上側に捲ってクリーナー１２０を引き出すこともできる。
【００３１】
使用者がクリーナー１２０を収容部１１０内から引き出すと、図４に示すように、その引出量に応じて引き体１３０がカメレオンの臀部に開口する貫通孔１１２を介して収容部１１０内に引き込まれる。そして、引き体１３０に設けられた連結具１３２が貫通孔１１２に達することによってクリーナー１２０の引き出しが行なえなくなる。すなわち、使用者は、連結具１３２が貫通孔１１２に達するまでの範囲でクリーナー１２０を収容部１２０内から引き出すことができる。この場合、連結具１３２は、引き体１３０において、クリーナー接続部１２１および引き体接続部１３１が開口部１１１を捲ることができる範囲（カメレオンの口内）内に位置させる位置に形成されている。したがって、使用者がクリーナー１２０を最大限に引き出した場合であっても、クリーナー接続部１２１および引き体接続部１３１は開口部１１１を捲ることができる範囲内（カメレオンの口内）に位置して外部に露出することはない（図４参照）。
【００３２】
次に、収容部１１０内からクリーナー１２０を引き出し終えた場合には、使用者は、引き出したクリーナー１２０を用いて物品の拭き取り作業を行う。具体的には、使用者は、収容部１１０から外部に引き出されたクリーナー１２０を用いて物品に付着した汚れを拭き取る。この場合には、使用者は、クリーナー１２０が物品に損傷を与えない柔軟で柔らかい素材で構成されているため、物品を損傷することなく綺麗に汚れを拭き取ることができる。また、この場合、物品クリーナー１００は、クリーナー接続部１２１および引き体接続部１３１が開口部１１１によって覆われているため拭き取り作業中に拭き取り対象物品に接触して同物品に損傷を与えたり、同拭き取り作業中にクリーナー接続部１２１と引き体接続部１３１とが外れたりすることを防止することができる。
【００３３】
次に、物品の拭き取り作業を終えた場合には、使用者は、クリーナー１２０を収容部１１０内に収容する。具体的には、使用者は、引き体１３０または連結金具１３２を引っ張ることによって収容部１１０の外に露出した状態のクリーナー１２０を収容部１１０内に引き込むことができる。このクリーナー１２０の収納作業において、連結金具１３２を用いて引き体１３０を引っ張る場合においては、連結金具１３２が環状に形成されているため、引っ張り作業を用意に行うことができる。また、クリーナー１２０が円形状に形成されているため、クリーナー１２０が開口部１１１に引っ掛かることなくスムーズに収納部１１０内に引き込まれる。
【００３４】
また、この物品クリーナー１００は、クリーナー１２０のクリーニング能力が低下した場合などには、クリーナー１２０を取り外すことができる。具体的には、使用者は、前記と同様にして、クリーナー１２０を収容部１１０内から引き出した後、開口部１１１を捲る（図１において二点鎖線参照）ことによりクリーナー１２０と引き体１３０との接続部分であるクリーナー接続部１２１および引き体接続部１３１を露出させる。次いで、使用者は、クリーナー接続部１２１から引き体接続部１３１を外すことによりクリーナー１２０と引き体１３０との接続状態を解消して両者を互いに分離することができる。次いで、使用者は、新たなクリーナー１２０を用意した後、引き体接続部１３１をクリーナー接続部１２１の縫合部に引っ掛けることによって新たなクリーナー１２０と引き体１３０とを接続することができる。そして、使用者は、前記と同様に、引き体１３０または連結金具１３２を引っ張ることによって収容部１１０の外に露出した状態の新たなクリーナー１２０を収容部１１０内に引き込むことができる。
【００３５】
なお、取り外したクリーナー１２０は、付着した汚れを洗濯などによって除去した後、再び新たなクリーナー１２０として使用することができる。また、使用者は、クリーナー１２０と引き体１３０とを分離した際には、引き体１３０も新規なものに取り換えることもできる。
【００３６】
上記作動説明からも理解できるように、上記実施形態によれば、物品クリーナー１００は、汚れを拭き取る布製のクリーナー１２０の全体を収容する収容部１１０を備えるとともに、この収容部１１０内にクリーナー１２０を出し入れするための開口部１１１が収容部１１０内に収容されたクリーナー１２０の先端部が露出する程度まで捲ることができるように構成されている。これにより、物品クリーナー１００は、クリーナー１２０の全体が収容部１１０内に収容されて収容時における汚損を防止することができるとともに、クリーナー１２０を収容部１１０内から取り出す際には開口部１１１を捲ることによってクリーナー１２０の先端部を露出させることによりクリーナー１２０を引き出し易くしている。すなわち、本考案に係る物品クリーナー１００によれば、物品に付着した汚れを拭き取るためのクリーナー１２０を汚損することなく収容部１１０内に収容しながらこの収容部１１０内から簡単に取り出して汚れを素早く拭き取ることができる。
【００３７】
さらに、本考案の実施にあたっては、上記実施形態に限定されるものではなく、本考案の目的を逸脱しない限りにおいて種々の変更が可能である。なお、下記変形例を示す図においては、上記実施形態における物品クリーナー１００の構成部分に対応する部分に同じ符号を付して、これらの説明は適宜省略する。
【００３８】
例えば、上記実施形態においては、収容本体１０１は、開口部１１１を２つの弾性部材（上あご側、下あご側）によってクリーナー１２０を図示上下方向から挟むように構成した。しかし、開口部１１１は、少なくとも一部が弾性部材によって構成されて収容部１１０内に収容されたクリーナー１２０の先端部が露出する程度まで捲ることができるように形成されていれば、上記実施形態に限定されるものではない。例えば、開口部１１１は、上記実施形態においてカメレオンの上あご側または下あご側のどちらか一方が弾性部材で構成されて捲れるように構成されていてもよい。また、開口部１１１は、筒状に形成されていてもよい。
【００３９】
また、上記実施形態においては、連結具１３２は、引き体１３０において、クリーナー接続部１２１および引き体接続部１３１が開口部１１１を捲ることができる範囲内に位置させる位置に形成されている。すなわち、この連結具１３２が本考案に係るストッパに相当する。しかし、連結具１３２は、クリーナー１２０を引き出した際におけるクリーナー接続部１２１および引き体接続部１３１の位置を規定する必要がない場合には、引き体１３０における任意の位置に設けられていればよい。すなわち、本考案に係るストッパは、クリーナー１２０を引き出した際におけるクリーナー接続部１２１および引き体接続部１３１の位置を規定する必要がない場合には、不要である。
【００４０】
また、上記実施形態においては、クリーナー１２０と引き体１３０とは、クリーナー接続部１２１および引き体接続部１３１を介して互いに着脱自在に構成した。しかし、この場合、クリーナー１２０と引き体１３０とは、フック以外の接続方法、例えば、ボタン、ホック、磁石、面ファスナおよび紐体による結びなど方法を用いて接続することができる。また、クリーナー１２０と引き体１３０とを固定的に接続（例えば、両者を縫合）して物品クリーナー１００を構成することもできる。また、クリーナー１２０に対して引き体１３０を連結する位置、すなわち、クリーナー１２０に対するクリーナー接続部１２１の形成位置についても上記実施形態に限定されるものではない。すなわち、クリーナー接続部１２１は、上記実施形態のようにクリーナー１２０の裏面の内側部分以外の部分、例えば、クリーナー１２０の表面の内側部分や、クリーナー１２０の表面または裏面の周縁部に形成してもよい。
【００４１】
また、上記実施形態においては、収容本体１０１を膨らんだ立体形状に構成した。しかし、収容本体１０１は、２つの布材を重ね合わせて周縁部の一部を残して縫合し、これら２つの布材の間に収納部１１０を形成することにより全体として平面的な形状に形成することもできる。
【００４２】
また、上記実施形態においては、物品クリーナー１００は、物品の汚れを拭き取るクリーナー１２０を１つ備えて構成した。しかし、物品クリーナー１００は、物品の汚れを拭き取るクリーナー１２０を２つ以上備えて構成してもよい。また、物品クリーナー１００は、収容体１０１の外周部に常に露出した状態で物品の汚れを拭き取る拭取り部を備えて構成することもできる。例えば、図５には、外観をカメレオンに模した収容本体１０１におけるカメレオンの腹部（収容本体１０１における図示下面）に拭取り部１４０を備えた物品クリーナー１００を示している。この場合、拭取り部１４０は、クリーナー１２０と同様の材料で構成するとよい。
【００４３】
また、上記実施形態においては、引き体１３０は、紐状に構成されている。しかし、引き体１３０は、クリーナー１２０に繋がって長尺に延びて形成されていれば、上記実施形態に限定されるものでない、例えば、引き体１３０は、樹脂材などで剛性のある棒状に形成されていてもよい。また、引き体１３０の長さも、引き体１３０を引っ張った際に必ずしもクリーナー１２０を収容部１１０内に完全に引き込む長さに形成されている必要はない。すなわち、引き体１３０の長さは、引き体１３０を引っ張ることによってクリーナー１２０の少なくとも一部が収容部１１０内に引き込めればよく、引き体１３０を引っ張った際にクリーナー１２０の一部が収容部１１０外の開口部１１１や開口部１１１の外に残っていてもよい。この場合、使用者は、収容部１１０の外にはみ出したクリーナー１２０の一部を指などで開口部１１１や収納部１１０内に押し込めばよい。
【００４４】
また、上記実施形態においては、収容本体１０１を構成する外皮材１０２は、毛皮状素材で構成されている。しかし、外皮材１０２は、収容本体１０１が模す対象物の外観、収容本体１０１自体の強度仕様などにより適宜選定されるものであり、必ずしも上記実施形態に限定されるものではない。例えば、外皮材１０２は、天然繊維および／または化学繊維などからなる織物、編物、フェルト、不織布などの布素材で構成することができる。また、外皮材１０２は、布素材以外の素材、例えば、革素材および樹脂素材（例えば、塩ビ製シート）で構成することもできる。これらの場合、外皮材１０２の表面に耐候性や耐水性を向上させるための加工を施したり薬剤を塗布したりすることにより外皮材１０２の耐久性を向上させることができる。
【００４５】
また、上記実施形態においては、クリーナー１２０は、超極細繊維で形成された布素材で構成されている。しかし、クリーナー１２０は、拭き取り対象の物品に損傷を与えない柔軟で柔らかな素材であれば、必ずしも上記実施形態に限定されるものではない。例えば、クリーナー１２０は、天然繊維および／または化学繊維などからなる織物、編物、フェルト、不織布などの布素材で構成することができる。また、クリーナー１２０は、布素材以外の素材、例えば、革素材および樹脂素材（例えば、塩ビシート）で構成することもできる。また、収容本体１０１を動物の外観を模して構成した場合、クリーナー１２０を収容本体１０１が模す動物の口内を模すために適した質感および色の素材を選択するとよい。例えば、収容本体１０１がトカゲやヘビの外観を模して成形される場合、クリーナー１２０をトカゲやヘビの舌を模して構成するとよい。
【００４６】
また、上記実施形態においては、クリーナー１２０は、円形状に構成した。しかし、クリーナー１２０の形状は、物品に付着した汚れを拭き取ることができれば、上記実施形態に限定されるものではない。例えば、クリーナー１２０は、楕円形状、扇形状、ドロップ（水滴）形状、および三角形や四角形の多角形状に形成することができる。なお、物品に付着した汚れの拭き取り易さを考慮すれば、クリーナー１２０は先端部に向かって面積が広がる形状が好ましい。
【００４７】
また、上記実施形態においては、収容本体１０１は、カメレオンの外観に模して構成した。しかし、収容本体１０１の外形は、使用者の好みに応じて適宜決定されるものであり、必ずしもカメレオン型に成型する必要はない。すなわち、収容本体１０１は、例えば、動物、植物、キャラクタ、建造物、構造物、美術品または食品の外形を模した形状に成形することができる。
【００４８】
この場合、動物としては、例えば、愛玩動物（イヌ、ネコ、小鳥、ねずみなど）、干支、各種野生動物（ライオン、カバ、キリン、コアラ、ラッコ、イルカ、クジラ、カメ、ヘビ、ワニ、カメレオンなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、アニメ、映画、ＴＶドラマ、童話、昔話などの主人公や登場物、および擬人化した動植物（例えば、擬人化したネズミなど）などが考えられる。また、植物としては、花（ヒマワリ、チューリップなど）や木（ヤシ、竹、スギなど）などが考えられる。また、建造物としては、橋、鉄塔、ビルおよび寺社仏閣などが考えられる。また、構造物としては、車両（二輪車、四輪乗用車、消防車などの各種作業車など）、列車、船舶および飛行機などが考えられる。また、美術品としては、仏像およびモニュメントなどが考えられる。また、食品としては、ハンバーガー、フランクフルトソーセージおよびサンドイッチなどが考えられる。そして、これらは、物品クリーナーは、これらの動物、植物、キャラクタ、建造物、構造物および美術品を単体でまたはこれらを組み合わせたデザインで構成することができる。これらより、物品クリーナーの使用者は、物品クリーナーのデザイン性に対して高い満足感を得ることができる。
【００４９】
また、収容本体１０１の外形に動物やキャラクタを採用した場合、開口部１１１を前記動物やキャラクタの口部分に形成することができる。これにより、開口部１１１を収容本体１０１に対して違和感なく自然な配置で構成することができ、収容本体１０１のデザイン性を向上させることができる。なお、開口部１１１は、収容本体１０１の外形に動物や人のキャラクタを採用した場合であっても自由な位置（例えば、手足、腕、胴、首、臀部、尻尾およびその他の特徴的部分など）に配置できることは当然である。
【００５０】
また、上記実施形態においては、物品クリーナー１００による拭き取り対象の物品として
メガネ、時計、携帯電話機やスマートフォンなどの携帯端末装置、パソコンおよびデジタルカメラを例示した。しかし、物品クリーナー１００は、拭き取り対象の物品としてこれら以外の物品、例えば、宝石などのジュエリー、鍵などの小物物品に広く用いることができるものである。この場合、物品クリーナー１００の形状や大きさは、拭き取り対象となる物品の形や大きさに応じて適宜決定されるものである。
【符号の説明】
【００５１】
１００…物品クリーナー、１０１…収容本体、１０２…外皮体、１０３…クッション体、
１１０…収容部、１１１…開口部、１１２…貫通孔、
１２０…クリーナー、１２１…クリーナー接続部、
１３０…引き体、１３１…引き体接続部、１３２…連結体、
１４０…拭取り部。
【図１】
0003178708.tif 000003
【図２】
0003178708.tif 000004
【図３】
0003178708.tif 000005
【図４】
0003178708.tif 000006
【図５】
0003178708.tif 000007